(57)【要約】【課題】各種の大きさのアンケート用紙を良好に収納することができ、天板上でアンケート用紙に記入し、記入したアンケートを天板の下側の収納兼投函箱に便利に投函することができるアンケートデスクを提供する。【解決手段】アンケート用紙に記入するための天板３と、天板３の下側に配設されアンケート用紙を収納すると共に投函する収納兼投函箱５と、を備えたアンケートデスクである。天板３にはアンケート用紙を立てて挿入する用紙立て口３２と収納兼投函箱５に連通する投函口３１と筆記具立て３３が設けられる。用紙立て口３２の真下の収納兼投函箱５内にはアンケート用紙を立てて保持するアンケート用紙立て６が設けられる。アンケート用紙立て６には、アンケート用紙の保持位置を上下に変えるためのスライド保持部６２が上下にスライド可能に取り付けられる。【選択図】図１
2004329470.tif 000002
【特許請求の範囲】
【請求項１】
アンケート用紙に記入するための天板と、該天板の下側に配設され該アンケート用紙を収納すると共に投函する収納兼投函箱と、を備えたアンケートデスクであって、
該天板には該アンケート用紙を立てて挿入する用紙立て口と該収納兼投函箱に連通する投函口と筆記具立てが設けられ、該用紙立て口の真下の該収納兼投函箱内には該アンケート用紙を立てて保持するアンケート用紙立てが設けられ、該アンケート用紙立てには、アンケート用紙の保持位置を上下に変えるためのスライド保持部が上下にスライド可能に取り付けられたことを特徴とするアンケートデスク。
【請求項２】
前記アンケート用紙立ては、縦板に対しスライド保持部が上下摺動可能に取り付けられ、該縦板に複数のねじ孔が上下に位置をずらして設けられ、固定ねじを任意の上下位置の該ねじ孔にねじ込み該スライド保持部が該縦板に対し固定されることを特徴とする請求項１記載のアンケートデスク。
【発明の詳細な説明】
【０００１】
【発明の属する技術分野】
本発明は、スーパーマーケット、大形量販店、ホームセンターなどに設置され、顧客がアンケート用紙に要望事項などを記入して投函するアンケートデスクに関し、特に各種の大きさのアンケート用紙を収納可能とし、デスクで記入したアンケート用紙を投函する収納兼投函箱を備えたアンケートデスクに関する。
【０００２】
【従来の技術】
スーパーマーケット、大形量販店、ホームセンターなどでは、顧客の要望を聞くために、アンケートを利用することが行われており、店舗にアンケートを記入するための棚や台を設置し、そこにアンケート用紙と筆記具を置いて、顧客にアンケート用紙に記入してもらうようにしている。
【０００３】
【発明が解決しようとする課題】
しかし、従来、アンケート専用のデスクは、製作されていないのが現状であり、汎用の台やレジカウンタをアンケートデスクとして使用して、そのデスクの上にアンケート用紙を収納するための用紙箱や筆記用具を置き、顧客がそのアンケート用紙を取り出して、棚や机上で要望事項などを記入し、それを別に設置された収納函に投函するように使用されている。なお、レジカウンタは、下記特許文献１などで知られている。
【０００４】
【特許文献１】
特開平１１−２６６９７９号公報
【０００５】
このため、汎用の台やレジカウンタなど上に、アンケート用紙を収納する箱、記入したアンケートを投函する収納函、筆記具などを単に置いているだけであるため、アンケート用紙や筆記具などが散らばって乱雑となり、顧客にとってはアンケートに記入しにくいという課題があった。
【０００６】
本発明は、上述の課題を解決するものであり、各種の大きさのアンケート用紙を良好に収納することができ、天板上でアンケート用紙に記入し、記入したアンケートを天板の下側の収納兼投函箱に便利に投函することができるアンケートデスクを提供することを目的とする。
【０００７】
【課題を解決するための手段】
上記目的を達成するために、本発明のアンケートデスクは、アンケート用紙に記入するための天板と、該天板の下側に配設され該アンケート用紙を収納すると共に投函する収納兼投函箱と、を備えたアンケートデスクであって、該天板には該アンケート用紙を立てて挿入する用紙立て口と該収納兼投函箱に連通する投函口と筆記具立てが設けられ、該用紙立て口の真下の該収納兼投函箱内には該アンケート用紙を立てて保持するアンケート用紙立てが設けられ、該アンケート用紙立てには、アンケート用紙の保持位置を上下に変えるためのスライド保持部が上下にスライド可能に取り付けられたことを特徴とする。
【０００８】
上記のアンケートデスクにおいては、請求項２のように、上記アンケート用紙立ては、縦板に対しスライド保持部を上下摺動可能に取り付け、縦板に複数のねじ孔が上下に位置をずらして設けられ、固定ねじを任意の上下位置のねじ孔にねじ込みスライド保持部を縦板に対し固定するように構成することができる。
【０００９】
【作用】
上記構成のアンケートデスクは、スーパーマーケット、大形量販店、ホームセンターなどにおける店舗内に設置され、顧客が自由にアンケート用紙を取り出して、用紙に顧客の要望などを記入してもらうように使用される。このアンケートデスクでは、アンケート用紙として大きさの異なる複数の種類の用紙が使用可能であり、小形の用紙を使用する場合には、収納兼投函箱内のアンケート用紙立てのスライド保持部を小形用紙の位置に上げて固定する。即ち、例えば、小形の用紙を使用する場合には、アンケート用紙立ての固定ねじを緩めて外し、スライド保持部の位置を上に上げ、その状態で固定ねじをねじ孔にねじ込んで固定する。これにより、スライド保持部に位置が上に上がり、小形のアンケート用紙の上部が適当な長さだけ天板の用紙立て口から上に突き出す状態で良好に収納される。
【００１０】
一方、大形の用紙を使用する場合には、収納兼投函箱内のアンケート用紙立てのスライド保持部を大形用紙の位置に下げて固定する。即ち、例えば、大形の用紙を使用する場合には、アンケート用紙立ての固定ねじを緩めて外し、スライド保持部の位置を下に下げ、その状態で固定ねじをねじ孔にねじ込んで固定する。これにより、スライド保持部に位置が下に下がり、大形のアンケート用紙の上部が適当な長さだけ用紙立て口から上に突き出す状態で良好に収納される。
【００１１】
利用者は、天板上の紙立て口からアンケート用紙を取り出し、筆記具立ての筆記具を用いて天板上で記入する。そして、要望事項などを書き込んだアンケートは、天板上の投函口に投函され、投函されたアンケートは、収納兼投函箱内に入って保管される。
【００１２】
【発明の実施の形態】
以下、本発明の一実施形態を図面に基づいて説明する。図１はアンケートデスクの斜視図を示し、図２はその分解斜視図を示している。このアンケートデスクは、脚部１の上に天板支持板４を固定し、その天板支持板４の下側に収納兼投函箱５を固定し、天板支持板４の上に天板３を取り付けると共に、脚部１の後部に立設した縦フレーム２内に、天板３上の後面で立ち上がる掲示板２１を取り付けて構成される。
【００１３】
脚部１は、縦フレーム２を含む４本の脚を、略Ｈ形の水平部上に立設して形成され、図２に示すように、脚部１の上に、天板支持板４が溶接などにより水平に固定されている。この天板支持板４には、長孔開口部４１が奥寄りに左右方向を向けて形成され、また、天板固定用の固定孔が周縁部に複数個形成されている。さらに、天板３に設けられる筆記具立て用の抜き穴が天板支持板４の対応位置に形成されている。
【００１４】
また、天板支持板４の下面には、長孔開口部４１の近傍に、アンケート用紙立て６が下向きに固定されている。このアンケート用紙立て６は、縦板６１と、その縦板６１の背面側に上下スライド可能に装着されたスライド保持部６２とを備えて構成されている。図３、図４に示すように、縦板６１は、その上端部が天板３の下面の天板支持板４に固定され、縦板６１の下部と中間部には、スライド保持部６２を固定するためのねじ孔６４が取付上下位置を変更可能に２箇所に設けられる。
【００１５】
スライド保持部６２は、縦板６１と協働してアンケート用紙を保持するように形成され、その下部を縦板６１側に折り曲げて上下に摺動可能とし、その上部を外側に開くように曲げて形成されている。また、スライド保持部６２の下部中央に貫通孔が形成され、そこに固定ねじ６３を挿入し、固定ねじ６３の先端を縦板６１のねじ孔６４にねじ込み、スライド保持部６２が固定される。
【００１６】
ねじ孔６４は上下２箇所に設けられ、スライド保持部６２を上下に摺動してアンケート用紙立て６の収納容積つまりその立ての長さを調整可能としている。すなわち、スライド保持部６２を上方位置に持ち上げて固定ねじ６３を上側のねじ孔６４にねじ込んでスライド保持部６２を固定すれば、アンケート用紙立て６が小形の例えばＢ６のアンケート用紙を収納する状態となり、スライド保持部６２を下方位置に下げて固定ねじ６３を下側のねじ孔６４にねじ込んでスライド保持部６２を固定すれば、大形の例えばＢ５のアンケート用紙を収納する状態となる。勿論、スライド保持部６２を下げた位置に固定すれば、Ｂ６からＢ５までの大きさの紙、例えばＡ５の用紙などは収納可能となる。
【００１７】
上記のように形成された天板支持板４の下側には、図２に示すように、収納兼投函箱５が、アンケート用紙立て６を下から覆うように、脚部１内側に溶接等で固定される。収納兼投函箱５の背面には、裏扉５１がヒンジを介して背面側に開閉可能に取り付けられ、投函されたアンケートをこの裏扉５１を開いて取り出すようにしている。
【００１８】
一方、天板支持板４の上には、天板３が下方からのねじ締めにより固定される。天板３の奥には、投函口３１と用紙立て口３２が長孔状に形成され、これらの投函口３１と用紙立て口３２は、共に天板支持板４の奥に設けた長孔開口部４１に連通している。また、用紙立て口３２の下側には、上記のアンケート用紙立て６が設けられ、用紙立て口３２から挿入されたアンケート用紙１０は、その真下のアンケート用紙立て６内に挿入されるように形成されている。また、天板３の用紙立て口３２の近傍には、孔状の筆記具立て３３が形成され、その筆記具立て３３には筆記具７が差し込まれ、自由に使用できるようにしている。
【００１９】
さらに、縦フレーム２の上部の内側に、木質の掲示板２１が取り付けられ、その掲示板２１には、アンケート用紙の記載例などを記した掲示用紙などが画鋲などにより止められ、掲示される。
【００２０】
上記のように構成されたアンケートデスクは、スーパーマーケット、大形量販店、ホームセンターなどにおいて、顧客が自由にアンケート用紙を取り出して、用紙に顧客の要望などを記入してもらうように、店舗内に設置される。このアンケートデスクでは、アンケート用紙として大形の用紙（例えばＢ５版）と小形の用紙（例えばＢ６版）、またはその間の大きさの用紙の複数種類の用紙が使用可能であり、小形の用紙を使用する場合には、図３に示すように、収納兼投函箱５の裏扉５１を開いて、その箱内のアンケート用紙立て６のスライド保持部６２を小形用紙の位置に調整し固定しておく。
【００２１】
即ち、小形の用紙を使用する場合には、アンケート用紙立て６の固定ねじ６３を緩めて外し、スライド保持部６２の位置を図３のように上に上げ、その状態で固定ねじ６３を上側のねじ孔６４にねじ込んで固定する。これにより、スライド保持部６２に位置が上に上がり、小形のアンケート用紙１０の上部が適当な長さだけ用紙立て口３２から上に突き出す状態で良好に収納される。
【００２２】
一方、大形の用紙を使用する場合には、図４に示すように、箱内のアンケート用紙立て６のスライド保持部６２を大形用紙の位置に下げて調整し固定しておく。即ち、大形の用紙を使用する場合には、アンケート用紙立て６の固定ねじ６３を緩めて外し、スライド保持部６２の位置を図４のように下に下げ、その状態で固定ねじ６３を下側のねじ孔６４にねじ込んで固定する。これにより、スライド保持部６２に位置が下に下がり、大形のアンケート用紙１０の上部が適当な長さだけ用紙立て口３２から上に突き出す状態で良好に収納される。
【００２３】
そして、上記のようにアンケート用紙１０を入れた状態で、収納兼投函箱５の裏扉５１を閉じ、天板３上の筆記具立て３３には、筆記具７を自由に使用できるように挿入し、顧客の利用に供する。
【００２４】
利用者は、天板３上の右側奥に位置する用紙立て口３２からアンケート用紙１０を取り出し、天板３上で記入する。記入する際には、筆記具立て３３の筆記具７を使用することができる。そして、利用者の要望事項を書き込んだアンケートは、天板３奥の左側の投函口３１に投函され、投函されたアンケートは、収納兼投函箱５内に入って保管される。
【００２５】
このように、アンケートデスクの天板３に用紙立て口３２と筆記具立て３３が設けられ、用紙立て口３２にアンケート用紙１０が取り出し易くその上部を出した状態で収納されているため、利用者は容易にアンケート用紙１０を取り出し、天板３上で筆記具７を用いて要望事項などを書き込むことができ、天板３上に用紙や筆記具が散乱することはなくなる。また、アンケート用紙立て６のスライド保持部６２を上下に調整することにより、大形の用紙から小形の用紙まで複数の種類（大きさ）の用紙を任意に切り替えて使用することができる。
【００２６】
なお、上記実施形態では、アンケート用紙立て６の縦板６１に上下２個のねじ孔６４を設けて、スライド保持部６２に位置を上下２箇所で調整し固定できるようにしたが、ねじ孔を上下に３個、４個と位置をずらして設けることもでき、この場合には、より多くの種類（大きさ）のアンケート用紙を使用することができる。
【００２７】
【発明の効果】
以上説明したように、本発明のアンケートデスクによれば、アンケートデスクの天板に用紙立て口と投函口と筆記具立てが設けられ、用紙立て口にアンケート用紙が取り出し易くその上部を出した状態で収納することができるため、利用者は容易にアンケート用紙を取り出し、天板上で筆記具を用いて要望事項などを書き込むことができ、天板上に用紙や筆記具が散乱することはなくなる。また、アンケート用紙立てのスライド保持部の位置を上下に調整することにより、複数の大きさの用紙を任意に切り替えて使用することができ、異なった大きさのアンケート用紙に対応したアンケートデスクとすることができる。
【図面の簡単な説明】
【図１】本発明の一実施形態を示すアンケートデスクの斜視図である。
【図２】同アンケートデスクの分解斜視図である。
【図３】裏扉を開いた状態の背面からの部分拡大斜視図である。
【図４】アンケート用紙立てのスライド保持部６２を下げて大形用紙用にした場合の部分拡大斜視図である。
【符号の説明】
１−脚部
２−縦フレーム
３−天板
４−天板保持板
５−収納兼投函箱
６−アンケート用紙立て
７−筆記具
１０−アンケート用紙
３１−投函口
３２−用紙立て口
６１−縦板
６２−スライド保持部
６３−固定ねじ
６４−ねじ孔
【図１】
2004329470.tif 000003
【図２】
2004329470.tif 000004
【図３】
2004329470.tif 000005
【図４】
2004329470.tif 000006